(57)【特許請求の範囲】
【請求項１】
少なくとも一方が可動型となり、導線が通された電気配線の端子を挟んで相対往復移動することにより前記端子を導線に圧着することのできる雌型及び雄型と、前記相対往復移動のための駆動力を付与する流体圧駆動源とを備えるものにおいて、
前記雄型の外周面を囲むように巻かれ且つ一端が雄型の基部に固定され他端が自由にされたコイルばねを備え、前記コイルばねの自由端が、自由状態では雄型の先端よりも雌型に近く且つ雌型の底との間に端子の外径よりも短い距離を置いていることを特徴とする、端子圧着工具。
【請求項２】
前記可動型の進行に伴い、前記コイルばねの自由端が前記雌型の開口端面に押されて前記雄型の先端よりも後方に退避しうる、請求項１に記載の端子圧着工具。
【請求項３】
更に径方向及び軸方向の肉厚がいずれも前記コイルばねの線径よりも大きい止め輪を備え、止め輪を介して又は止め輪とともに前記コイルばねの固定端が前記雄型の基部に固定されている、請求項１又は２に記載の端子圧着工具。
【請求項４】
前記止め輪の内周面が前記コイルバネの固定端付近の外周面と相補する形状を有し、前記止め輪の内周面に前記コイルばねの固定端付近が密着巻きされている、請求項３に記載の端子圧着工具。
【請求項５】
前記雄型の基部における前記雌型側の面に、前記コイルばねの固定端が密着巻きされた止め輪と嵌合する環状の溝が設けられている、請求項４に記載の端子圧着工具。
【請求項６】
更に前記コイルバネの自由端に取り付けられた台座を備え、前記台座が前記雄型の凸部を非接触に通過させうる孔を中心に有し、その孔に連なる主面に前記端子の外周面の一部に倣う凹みを有する、請求項１〜５のいずれかに記載の端子圧着工具。
【請求項７】
前記台座の外周面が前記コイルバネの自由端付近の内周面と相補する形状を有し、前記台座の外周面に前記コイルばねの自由端付近が密着巻きされている、請求項６に記載の端子圧着工具。
【発明の詳細な説明】
【技術分野】
【０００１】
この発明は、流体圧力を利用して電気配線の導線に端子を圧着するのに適した端子圧着工具に属する。
【背景技術】
【０００２】
一般に、電気配線の導線と端子とは、簡易な固着技術である圧着によって固着される。これは、その固着が配線作業現場で行われるためである。そして、作業者の負担を軽くするために、駆動力として油圧等の流体圧力が用いられる。従来の油圧式端子圧着工具は、シリンダを内蔵する胴体の先端部に固定された雌型と、シリンダ内のラムの先端部に固定された雄型とを備えている。圧着の際は、導線が通された電気配線の端子を雌型と雄型で挟み、油圧力によって雄型を端子に押しつけることにより、端子を塑性変形させていた。
【０００３】
ところで、油圧力を付与する際に、雌雄の型に対して端子が不正な角度をなしていたり不正な位置に置かれていたりすると、圧着作業終了後に端子と導線との電気的接続不良を生じるおそれがある。仮に圧着直後は接続不良を生じていないにしても、長期的な信頼性を欠くことになる。そこで、これを防止するために、雌雄の型の間に端子を正しい角度及び位置で暫定的に固定（仮押さえ）し、その状態を保ちながら油圧力を付与する技術が種々提案されている。
【０００４】
例えば、油圧ピストンと雄型との間に介在するコイルばねの弾力によって押さえるもの（特許文献１）、油室と連通するゴムチューブを圧着工具の握りに内蔵させ、ゴムチューブの弾力によって押さえるもの（特許文献２）、油圧回路の排出流路に操作弁を設け、操作弁の開き具合により仮押さえするもの（特許文献３）などがある。
【先行技術文献】
【特許文献】
【０００５】
【特許文献１】実開平２−８４２９３号公報
【特許文献２】実開平５−９３７６８号公報
【特許文献３】実開平６−６４３８９号公報
【発明の概要】
【発明が解決しようとする課題】
【０００６】
しかし、特許文献１に記載のように油圧ピストンと雄型との間にコイルばね介在させたり、特許文献３に記載のように油圧回路の排出流路に操作弁を設けたりすることは、圧着工具の構造を極めて複雑にし、コスト増を招く。また、特許文献２に記載のようなゴムチューブは、ゴムの経年劣化に伴い次第に弾性を失う。
それ故、この発明の課題は、雌雄の型の間に端子を正しい角度及び位置で暫定的に固定する機能を有する圧着工具であって、低コストで長期安定的に前記機能を維持することのできるものを提供することにある。
【課題を解決するための手段】
【０００７】
その課題を解決するために、この発明の端子圧着工具は、
少なくとも一方が可動型となり、導線が通された電気配線の端子を挟んで相対往復移動することにより前記端子を導線に圧着することのできる雌型及び雄型と、前記相対往復移動のための駆動力を付与する流体圧駆動源とを備えるものにおいて、
前記雄型の外周面を囲むように巻かれ且つ一端が雄型の基部に固定され他端が自由にされたコイルばねを備え、前記コイルばねの自由端が、自由状態では雄型の先端よりも雌型に近く且つ雌型の底との間に端子の外径よりも短い距離を置いていることを特徴とする。
【０００８】
この発明の端子圧着工具を使用するときは、先ずコイルばねを圧縮させてその自由端と雌型との間に端子を配置する。コイルばねの自由端は、自由状態では雄型の先端よりも雌型に近く且つ雌型の底との間に端子の外径Ｄよりも短い距離ｄを置いている。従って、前記のように端子を配置することで、外径Ｄと距離ｄとの差分だけコイルばねが圧縮された状態となり、前記駆動力が付与される前に前記コイルばねの弾性復元力により前記端子が前記雌型の底に弾力的に圧接される。そのため、雌雄の型に対する端子の角度及び位置が正しく保たれた状態で駆動力を付与することができる。
【０００９】
この発明の好ましい端子圧着工具は、前記可動型の進行に伴い、前記コイルばねの自由端が前記雌型の開口端面に押されて前記雄型の先端よりも後方に退避しうるものである。これにより導線が通された電気配線の端子を介して雄型が十分に雌型に接近して端子を塑性変形させることができる。
【００１０】
同じく好ましい端子圧着工具は、前記構成に加えて更に径方向及び軸方向の肉厚がいずれも前記コイルばねの線径よりも大きい止め輪を備え、止め輪を介して又は止め輪とともに前記コイルばねの固定端が前記雄型の基部に固定されているものである。コイルばね単独で固定する構成に比べて固定しやすいからである。
【００１１】
コイルばねと止め輪とは、溶接、圧入等の適宜の手段で互いに連結されていてよいが、好ましい関係は、前記止め輪の内周面が前記コイルバネの固定端付近の外周面と相補する形状を有し、前記止め輪の内周面に前記コイルばねの固定端付近が密着巻きされているものである。万一破損しても部品の取り替えが容易であるし、確実に連結されるからである。
【００１２】
この場合、前記雄型の基部における前記雌型側の面に、前記コイルばねの固定端が密着巻きされた止め輪と嵌合する環状の溝が設けられていると好ましい。その溝に向かって外部から径方向に貫通するネジ孔を設け、そのネジ孔にネジを貫通させて止め輪の外周面に圧接させるか、又は単に貫通孔を設けるとともに止め輪の外周面の対応位置にネジ孔を設けて貫通孔からネジ孔内までネジを嵌合させるなどして止め輪を雄型の基部に固定することができるからである。
【００１３】
同じく好ましい端子圧着工具は、前記構成に加えて更に前記コイルバネの自由端に取り付けられた台座を備え、前記台座が前記雄型の凸部を非接触に通過させうる孔を中心に有し、その孔に連なる主面に前記端子の外周面の一部に倣う凹みを有するものである。これにより、端子の外周面が前記凹みに嵌まり、端子が必然的に雌雄の型に対して一定の正しい角度及び位置で仮押さえされるからである。この場合、前記距離ｄは、雌型の底と前記凹みの底との間隔となる。
この場合もコイルばねと台座との好ましい関係は、台座の外周面がコイルばねの自由端付近の内周面と相補する形状を有し、前記台座の外周面に前記コイルばねの自由端付近が密着巻きされているものである。
【発明の効果】
【００１４】
以上のように、この発明の端子圧着工具によれば、雌雄の型に対する端子の角度及び位置が正しく保たれた状態で駆動力を付与することができるので、圧着された電線と端子とが電気的にも機械的にも高い信頼性をもって接続されたものとなる。しかもコイルばねが雄型の外周面を囲むように巻かれているので、流体圧回路などの工具内部構造を変える必要が無く、低コストで圧着工具を製造することができる。
【図面の簡単な説明】
【００１５】
【図１】（ａ）は実施形態の端子圧着工具を示す軸方向断面図、（ｂ）は（ａ）と直交する軸方向断面図である。
【図２】雌型を除いた状態の実施形態の端子圧着工具を示す平面図である。
【図３】実施形態の端子圧着工具に用いられる台座を示す平面図である。
【図４】（ａ）は実施形態の端子圧着工具を用いて圧着した状態を示す軸方向断面図、（ｂ）は（ａ）と直交する軸方向断面図である。
【発明を実施するための形態】
【００１６】
端子圧着工具１は、丸形、Ｙ形などの舌部及びそれに連なる筒状部を有する圧着端子Ｗと電線を圧着する、すなわち同筒状部に電線の端部を挿入した状態で同筒状部を径方向にカシメることにより、端子Ｗと電線とを機械的圧力で固着するものである。端子圧着工具１は、図１及び図２に示すように平面視及び正面視いずれも対称形状をなし対向配置された雌型２及び雄型３の他、コイルばね４並びに図示しない駆動源及びこの駆動源を内蔵する胴体を備える。
【００１７】
前記駆動源及び胴体の構造は、特に限定されず、公知の油圧工具に適用されているものであってよく、例えば特許第３０８０３６０号公報に記載の胴体４及び駆動源であってよい。ただし、同公報に記載の長溝９２、９３及びクロス溝９４、９５は本実施形態には不要である。
【００１８】
念のため本実施形態の端子圧着工具１の胴体及び駆動源について概説すると、胴体には、その軸に対して角度をもつように小ハンドル及び大ハンドルが付属している。そして、小ハンドルにオイルタンク、大ハンドルにバッテリーが内蔵されている。胴体の中心部には、バッテリーに接続した電動機とオイルタンクに連なるプランジャーポンプが内蔵されている。この電動機とプランジャーポンプが駆動源である。
【００１９】
胴体は、ほぼ中心部分がシリンダをなし、そのシリンダに前記プランジャーポンプによって作動するラムが内蔵されている。シリンダの先端には、雌型２を取り付けるための二股状のブラケットが固定されている。
【００２０】
ラムは前方に延びる管状の継ぎ手５と嵌合し、互いに固定されている。継ぎ手５の周囲にはラムを後方に付勢するスプリングが配備されている。スプリングは、常時はラムを最も後退した位置に保持している。そして、油圧力の付与に伴ってラムがスプリングの弾力に抗して前進し、油圧が解除されたとき、スプリングの弾力によってラムが元の位置に後退する。
【００２１】
雌型２は雄型３と対向する側に開いたＵ字形の凹部２１を有し、雌型２の外周面に被せられた図略の圧着ヘッドを介して前記ブラケットに着脱自在に取り付けられている。凹部２１の幅は端子Ｗの筒状部が緩く嵌まる程度で、深さは同筒状部が僅かに凹部２１から出る程度に設計されている。
【００２２】
雄型３は、平面視長方形の基部３１、基部３１の前方すなわち雌型２側の面に連なる四角錐台状の凸部３２、及び基部３１の後方に連なる円柱状の連結部３３からなる。基部３１における雌型２側の面には、凸部３２の外側に環状の溝３４が設けられ、溝３４と凸部３２との間には段差３５が設けられている。基部３１の長寸方向両端付近は、段差３５よりも高く凸部３２の先端よりも低く、雌型２に対するストッパ３６として機能する。連結部３３は、継ぎ手５に嵌入され固定されている。従って、雄型３は、連結部３３及び継ぎ手５を介してラムと連動する。ただし、雄型３と継ぎ手５とは、本例と逆に雄型３の後端面に凹部を設け、これに継ぎ手５の先端凸部を嵌合することによって連結しても良い。
【００２３】
コイルばね４は、その両方の端部付近の各数ターンが密着巻きされ、その一方の密着巻き部分の外周面に止め輪４１の内周面が嵌合し、止め輪４１とともに溝３４に嵌められている。止め輪４１の内周面は、密着巻きされるコイルばね４の外周面と相補する螺旋形状をなしている。止め輪４１の径方向及び軸方向の肉厚は、いずれもコイルばね４の線径の２〜５倍程度である。そして、コイルばね４は、基部３１を外から溝３４に向かってねじ嵌合するねじの先端が止め輪４１に圧接することにより、基部３１に固定されている。
【００２４】
コイルばね４の他方の端部は自由にされており、その密着巻き部分の内周面には対称な円盤形状の台座４２の外周面が工具１全体としても対称となるような向きで嵌合している。台座４２は、図３に示すように雄型３の凸部３２を非接触に通過させうる長方形の貫通孔４２ａを中心に有し、その孔４２ａの長辺に連なる一方の主面に凹み４２ｂを有する。台座４２の外周面は、密着巻きされるコイルばね４の内周面と相補する螺旋形状をなしている。凹み４２ｂは、円筒を弦に沿って縦割りしたように端子Ｗの外周面の一部に倣う形状をなす。凹み４２ｂの軸方向位置は、自由状態では凸部３２先端よりも雌型２に近く且つ雌型２の底との間に端子Ｗの外径Ｄよりも短い距離ｄを置いている。また、コイルばね４の外径は、雌型２の凹部２１の開口幅よりも少し大きい。
【００２５】
端子圧着工具１を使用するときは、先ずコイルばね４を圧縮させて台座４２と雌型２との間に端子Ｗを配置する。前記のようにＤ＞ｄの関係にあることから、Ｄとｄとの差分だけコイルばね４が圧縮された状態となる。従って、コイルばね４の弾性復元力により端子Ｗが雌型２の底に弾力的に圧接されるとともに、端子Ｗの外周面の一部が台座４２の凹み４２ｂに嵌まる。そのため、雌雄の型２、３に対する端子Ｗの角度及び位置が正しく保たれた状態で端子Ｗが暫定的に固定される。次いで、端子Ｗの筒状部に電線の端部すなわち絶縁被覆が剥がされた導線部分を挿入する。
【００２６】
この状態でプランジャーポンプを作動させると、雄型３の進行に伴い、コイルばね４が更に圧縮され、図４に示すように台座４２がコイルばね４の自由端とともに雌型２の開口端面に押されて雄型３の凸部３２先端よりも後方に退避する。同時に凸部３２先端が端子Ｗに当たり、雄型３が進行するに連れて端子Ｗが塑性変形させられ、電線と圧着させられる。雄型３は、ストッパ３６が雌型２の開口端面と当たった時点で停止するので、端子Ｗが過剰に変形することはない。
【００２７】
本実施形態では、圧着ヘッドと雌型とが別体となっているが、一体であってもよい。また、雄型に対して雌型が移動するものであってもよい。
【符号の説明】
【００２８】
１…端子圧着工具
２…雌型
３…雄型
３１…基部    ３２…凸部    ３３…連結部    ３４…溝
４…コイルばね
４１…止め輪    ４２…台座
５…継ぎ手
【図１】
0006478820.tif 000002
【図２】
0006478820.tif 000003
【図３】
0006478820.tif 000004
【図４】
0006478820.tif 000005